(57)【要約】【課題】冷却機と熱交換機とを例えば前記断熱箱の内外に分けて配置するのに有利な形態を備えた冷却システムを提供する。【解決手段】冷媒を用いた熱交換により冷気を排出する冷却ユニット１３と、冷媒を冷却可能な状態にまで戻す熱交換ユニット１２とを、それぞれの上部を結ぶ連絡部１４によって接続して一体化された冷却装置を構成する。断熱箱１５の側壁５１の端部を跨いで連絡部１４を配置し、冷却ユニット１３を断熱箱１５の内部に配置し、熱交換ユニット１２を断熱箱１５の外側に配置する。保管中や配送車などでの移動中は、冷却装置１１を断熱箱１５に装着し、人が手で持って運ぶ時には冷却装置１１を取り外した断熱箱１５のみを運ぶことができる。【選択図】          図１
2019120455.tif 000002
【特許請求の範囲】
【請求項１】
蓋付き断熱箱と冷却装置とを備え、
前記冷却装置は、前記蓋付き断熱箱の内部に配置された冷却ユニット及び前記蓋付き断熱箱の外部に配置された熱交換ユニットを備え、
前記冷却ユニットと前記熱交換ユニットを連結する連絡部が、前記蓋付き断熱箱の蓋と断熱箱本体との間で挟まれており、
前記連絡部を介して前記冷却ユニットと前記熱交換ユニットとの間を冷媒が循環して前記蓋付き断熱箱の庫内を冷却するように構成された冷却システム。
【請求項２】
前記冷却ユニットと前記熱交換ユニットが前記連絡部で固定された冷却装置であって、
前記冷却ユニットは、前記庫内の温度を検知する温度センサーと、冷却用の冷気を前記庫内へ送出するファンモータとを備え、
前記連絡部は、前記冷媒用の配管と温度センサー及びファンモータの配線とが埋設された連絡板であり、
前記冷却装置が、断熱箱に対して着脱自在であるように構成されたことを特徴とする請求項１記載の冷却システム。
【請求項３】
物流用の配送車の荷台に請求項１又は２に記載の冷却システムが配置され、
配送移動中は前記冷却ユニットにて庫内の保冷を行い、
車外に被搬送物を搬出する際は、前記冷却ユニット、前記熱交換ユニット及び前記連絡部を取り外した前記蓋付き断熱箱と前記被搬送物とだけで軽量に搬送することができるように構成されたことを特徴とする低温輸送用の冷却システム。
【発明の詳細な説明】
【技術分野】
【０００１】
本発明は、冷却システムに関するものである。
【背景技術】
【０００２】
被搬送物を所定温度範囲内の低温域に維持しながら物流の上流端から下流端まで搬送するコールドチェーンに適用可能な断熱箱としては、例えば特許文献１に示されるように、断熱箱に冷却ユニットを取り付けたものが知られている。
特許文献２では、収納物を低温状態で保持して搬送保管する断熱断熱箱と、この断熱断熱箱内を低温に保持する冷凍機と、上記断熱断熱箱の内部温度を経時的に計測する計測手段とを備え、上記断熱断熱箱の上面に冷凍機を設け、背面に上記冷凍機の冷気により蓄冷される蓄冷材を収容する蓄冷材収容ケースを設けたものが提案されている。
特許文献３では、密閉可能な冷却室を備え、断熱性を有する箱体と、前記冷却室内部を冷却するスターリング冷凍機からなる冷却装置とを備えた保冷庫が開示されている。この特許文献３では、請求項２や明細書段落００４５に、蓋体は、ヒンジ機構を介して箱本体に着脱自在としてもよく、この場合、蓋体を箱本体から取り外して箱本体を丸洗いすることができるので便利である旨が記載されている。さらにこの特許文献３では、請求項７や明細書段落００５１に、冷却装置を箱体に着脱自在としてもよく、被冷却物に必要とされる温度帯に適した冷却装置を装着することで、効率の良い冷却が可能となることが示されているが、その具体的構造については言及されていない。
【０００３】
特許文献４は、一般の冷却システムの一例を示すものであるが、一般の冷却システムではその配管になまし銅管が使用される。特許文献４に示された配管も軟質と思われるが、着脱時に配管に応力が集中する構造では、曲がったり、破損しやすいなどの欠点がある。
【先行技術文献】
【特許文献】
【０００４】
【特許文献１】国際公開第２０１６／１１４２９７号パンフレット
【特許文献２】特許第３８０２９７６号
【特許文献３】特開２００１−３１１５７６号公報
【特許文献４】特開平１１−３０４３４７
【発明の概要】
【発明が解決しようとする課題】
【０００５】
コールドチェーンの物流では、その上流端から下流端まで指定温度域に維持しながら被搬送物を搬送し、保冷車や冷凍車などの特殊車で運用されているが、一般の配送車では保冷箱による混載物流も多くみられる。そのための自動化や温度管理装置の開発が進められているが、その下流端では人の手を介して被搬送物を運搬して、物流が完結する。他方、物流業に携わる労働現場は、物流に求められる種々のサービスや品質の向上と、これに対応するための労働力との不均衡が表面化している現場の一つであり、我が国における労働問題の課題が集約されたとも言える労働現場として、その労働条件の改善は早急に且つ強く求められているところである。
【０００６】
上述の特許文献の各提案では、被搬送物の温度維持管理というサービスや品質の観点からの提案ではあるものの、労働条件の改善の観点が欠落していると言わざるを得ない。例えば、特許文献３では、前述のように、蓋体はヒンジ機構を介して箱本体に着脱自在とすることで、蓋体を箱本体から取り外して箱本体を丸洗いすることができることを示したり、冷却装置を箱体に着脱自在として被搬送物に必要とされる温度帯に適した冷却装置を装着することで、効率の良い冷却が可能となることを示したりしているに止まり、そこには労働条件の改善からの視点は存しない。
【０００７】
本発明は、冷却機と熱交換機とを例えば前記断熱箱の内外に分けて配置するのに有利な形態を備えた冷却システムと、この冷却システムによる冷温輸送手段を提供することを課題とする。
本発明は、大きな開口を断熱箱に設けずとも、冷却ユニットを断熱箱に配置することができると共に冷却ユニットを断熱箱に対して着脱するのに有利な構造を備えた冷却ユニットを提供することを課題とする。
特に本発明は、冷却ユニットと排熱ユニットを固定する連絡板に配管を埋設することで、開口部を最少にすることで断熱性能を向上して密閉断熱するとともに、配管に直接的な応力が集中することなく、断熱箱に対して工具などを使わずに着脱が自在となることを特徴とする冷却システムの提供を課題とする。さらに、要保冷品を輸送する往路では冷却システムを断熱箱に装着し、安心して温度管理ができ、一方、帰路では冷却システムを取り外して通常の断熱箱としても使用できるし、断熱箱を折り畳むことで輸送スペースを確保することができる低温輸送に適する冷却システムの提供を課題とする。
【０００８】
本発明は、被搬送物を取り扱う実際の人々の労働条件の改善などの人への優しさの視点からの課題と、被搬送物の温度維持管理からの視点からの課題とを両立することができる冷却システムを提供することを課題とする。
【課題を解決するための手段】
【０００９】
本発明は、低温輸送用の蓋付き断熱箱と冷却装置とを備え、前記冷却装置は前記蓋付き断熱箱の内部に配置された冷却ユニット及び前記蓋付き断熱箱の外部に配置された熱交換ユニットを備え、前記冷却ユニットと前記熱交換ユニットを連結する連絡部が、前記蓋付き断熱箱の蓋と断熱箱本体との間で挟まれており、前記連絡部を介して前記冷却ユニットと前記熱交換ユニットとの間を冷媒が循環して前記蓋付き断熱箱の庫内を冷却するように構成された冷却システムを提供する。なお本発明において、上下左右は相対的な位置関係を示すに止まり、絶対的な位置を特定するものではない。
【００１０】
本発明に係る前記の冷却ユニットは、前記冷却ユニットと前記熱交換ユニットは前記連絡部で固定され、前記冷却ユニットは、前記庫内の温度を検知する温度センサーと、冷却用の冷気を前記庫内へ送出するファンモータとを備え、前記連絡部は、前記冷媒用の配管と温度センサー及びファンモータの配線とが埋設された連絡板であり、前記冷却ユニット、前記熱交換ユニット及び前記連絡部が、断熱箱に対して着脱自在であるように構成して実施することができる。
【００１１】
前記冷却機と前記熱交換機とをひとつの冷却装置として一体化したものを、断熱箱に取り付けることを検討した場合、前記冷却機の冷気の排出部のみを断熱箱内に配置した構造を採ることも可能であるが、その構造では断熱箱に大きな貫通孔を設ける必要があり、断熱箱の保冷性能が低下する。これに対して本発明では、前記冷媒が前記連絡部を介して前記冷却ユニットと前記熱交換ユニットとの間を循環移動するよう構成されたものであるため、断熱箱に設ける貫通部分を小さくすることで断熱性能を大幅に改善することができ、前記連絡部を断熱箱の側壁の端部を跨いで配置するよう構成することによって、断熱箱の構造を単純化できる点で製造コスト面において有利であるとともに、冷却装置を断熱箱に対して着脱可能に構成して実施した場合にその取り外しが容易に行える構造としやすい点で有利である。
【００１２】
前記冷却装置と前記蓋付の断熱箱とは、工具を用いずに着脱することができるように構成することも望ましい。着脱の簡便性からすれば、特別な工具等を使わずにビス等も緩めずに容易に着脱可能とすることがより好ましい。他方、取り付けの確実性から、クリップ状の係止具やビスなどの固定具によって仮固定可能な構造としておいても構わない。
【００１３】
前記蓋付の断熱箱は、収納空間を構成する複数の前記側壁を備えた箱本体と、前記箱本体の解放面に配置されて断熱箱を閉じる蓋体とを備えたものとして、実施することができる。その際、前記側壁と前記蓋体との少なくとも何れか一方に連絡用の凹みを備え、前記連絡部が前記凹みに収められた状態で、前記蓋体が前記箱本体に隙間無く閉じられるように構成することも好ましい。具体的には、前記連絡部は前記凹みに隙間無く収められて（より望ましくは前記連絡部と前記凹みの周囲とが接触した状態に収められて）、冷気が前記断熱箱の外に大量に漏れ出さないようにしたり、前記連絡部と前記凹みとの間には隙間が設けられるものの、前記冷却機と前記断熱箱との少なくともいずれか一方が前記箱本体に接触していることで冷気が前記断熱箱の外に大量に漏れ出さない構造にしたりして実施することができる。
特に、蓋付の断熱箱は、真空断熱パネルを内部に埋め込むことで驚異的な断熱性能が確保できるため、省エネになるとともに、貴重な医薬品や試薬品などを高精度に温度維持する輸送に応用されているが、従来の側壁に貫通穴を開けて冷却システムを設置する構造ではその断熱性能を維持することが難しくなり、省エネにはなり難い。本発明では真空断熱箱の上端部または蓋の下面部に連絡部を置く凹部を設けるだけの簡単で低コストの構造で実現できるとともに、温度管理において高い品質が確保できる特徴がある。
【００１４】
本発明は、物流用の配送車の荷台に前記の冷却システムが配置され、配送移動中は前記冷却ユニットにて保冷を行い、車外に被搬送物を搬出する際は、前記冷却ユニット、前記熱交換ユニット及び前記連絡部を備えた冷却装置を取り外し、前記蓋付き断熱箱と前記被搬送物とだけで軽量に搬送することのできるように構成されたことを特徴とする低温輸送システムを提供する。
このシステムによれば、人が重たい前記冷却装置を持ち運ばなくても、保冷状態を維持したまま、最初の目的地まで前記被搬送物を運ぶことができる。よって、被搬送物を取り扱う実際の人々の労働条件の改善などの人への優しさの視点からの課題と、被搬送物の温度維持管理からの視点からの課題とを両立することができる低温輸送システムを提供することができたものである。
【発明の効果】
【００１５】
本発明は、冷却ユニットと熱交換ユニットを固定する連絡板に配管を埋設することで、密閉断熱するとともに、配管に直接的な応力が集中することなく、断熱箱に対して工具などを使わずに着脱が自在となることを特徴とする冷却システムを提供することができたものである。
さらに、要保冷品を輸送する往路では冷却システムを断熱箱に装着し、安心して温度管理ができ、一方、帰路では冷却システムを取り外して通常の断熱箱としても使用できるし、断熱箱を折り畳むことで輸送スペースを確保することができる低温輸送に適する冷却システムを提供することができたものである。
【００１６】
本発明は、前記連絡部を、前記断熱箱の側壁の端部を跨いで配置でき、大きな開口を前記断熱箱に設けずとも、前記冷却装置を前記断熱箱に配置することができる冷却ユニット付き断熱箱を提供することができたものである。
さらに、前記冷却装置と前記断熱箱とを、工具を用いずに着脱することができるように構成することによって、前記断熱箱の内部に前記冷却ユニットを配置し、前記熱交換ユニットを前記断熱箱の外側に配置した状態で、前記連絡部が前記断熱箱の側壁の端部を跨ぐように置くだけで取り付けが完了し、取り外しに際しては、前記冷却装置を前記断熱箱から引き抜くだけであるという、簡単な取り扱い手順で着脱を完了させることができる冷却システムを提供することができたものである。
【００１７】
本発明は、被搬送物を取り扱う実際の人々の労働条件の改善などの人への優しさの視点からの課題と、被搬送物の温度維持管理からの視点からの課題とを両立することができる低温輸送に適する冷却システムを提供することができたものである。
【図面の簡単な説明】
【００１８】
【図１】本発明の実施の形態に係る冷却システムの斜視図。
【図２】同冷却システムの断面図。
【図３】同冷却システムの熱交換ユニット側から見た冷却装置の斜視図。
【図４】同冷却システムの冷却ユニット側から見た冷却装置の斜視図。
【図５】同冷却システムの熱交換ユニットの内部構造の説明図。
【図６】同冷却システムの冷却ユニットの内部構造の説明図。
【図７】同冷却システムの冷却装置の内部構造説明図。
【図８】本発明の他の実施の形態に係る冷却システムの断面図。
【発明を実施するための形態】
【００１９】
以下、図面に基づき本発明の実施の形態を説明する。
（冷却装置１１の概要）
この実施の形態に係る冷却システムは、冷却ユニット１３と熱交換ユニット１２を連絡部１４で連結し一体化した冷却装置１１と、この冷却装置１１が取り付けられる断熱箱１５とを備えたシステムであり、例えば低温で輸送することに適用することができる。
冷却装置１１は、図１に示すように、コンプレッサー式冷凍機で代表される冷却装置であり、冷却ユニット１３と熱交換ユニット１２を連絡部１４で連結し一体化したものである。冷却ユニット１３は冷媒を用いた熱交換により冷気を排出するもので、断熱箱１５内を所定の温度に冷却する。熱交換ユニット１２は、外気との熱交換により冷媒を冷却可能な状態になすもので、処理後の冷媒は連絡部１４を介して熱交換ユニット１２に送られる。連絡部１４は、熱交換ユニット１２と冷却ユニット１３との上部を連結し、冷媒用導管４１や電線４２（図５、図６参照）が配置されることによって、冷媒が熱交換ユニット１２と冷却ユニット１３との間を循環移動する。
【００２０】
（熱交換ユニット１２と冷却ユニット１３について）
熱交換ユニット１２と冷却ユニット１３は、従来の種々の冷凍機に用いられる冷却システムを構成するもので、図５に示すように熱交換ユニット１２はその主な構成としてコンプレッサー２１、コンデンサー２２、コンデンシングファン２３及びレシーバー２４を備えており、図６に示すように冷却ユニット１３はその主な構成としてエバポレーター３１、クーリングファン３２、エキスパンションバルブ（図示せず）及び温度センサー３３を備えている。
【００２１】
熱交換ユニット１２と冷却ユニット１３の作動状態についても、従来の一般的な冷却システムと同様であるが、簡単に説明する。
まず、熱交換ユニット１２のコンプレッサー２１によって圧縮された冷媒はコンデンサー２２に導入される。冷媒はコンデンサー２２でコンデンシングファン２３の風によって冷却されて液化される。
【００２２】
液化された冷媒は、連絡部１４に配置された冷媒用導管４１に沿って設けたキャピラリー細管（不図示）を通って、冷却ユニット１３に送られる。冷却ユニット１３では、液化された冷媒がエバポレーター３１内へ噴射され気化する。気化した冷媒はエバポレーター３１周りの熱を奪い、これによりエバポレーター３１が冷却される。冷却されたエバポレーター３１に対してクーリングファン３２による風が通過し、冷気となって断熱箱１５の庫内に流入して、庫内を冷却する。
【００２３】
エバポレーター３１を出た冷媒は連絡部１４の冷媒用導管４１を介して熱交換ユニット１２のコンプレッサー２１に戻り再び圧縮されるもので、このように冷媒を循環させる冷凍サイクルが構成される。なお２６は熱交換ユニット１２のケーシングに設けられた通気口を示し、３３は冷却ユニット１３のケーシングに設けられた吸気口を示す。電源装置２４は、熱交換ユニット１２側に設けられたコンプレッサー２１の下に設置されている。この電源装置２４は、外部電源からの電源であっても構わないし、バッテリーを搭載したものであっても構わないし、両者を併用したものであっても構わない。また熱交換ユニット１２側には制御操作部２７が設けられているが、電力及び信号に関して熱交換ユニット１２側と冷却ユニット１３側とを接続するための電線４２は、冷媒用導管４１と同様に連絡部１４に配置されている。
上記の例は蒸気圧縮冷凍機によるものであるが、吸収式冷凍機やスターリング冷凍機など他の形式の冷凍機に変更して実施することもできるし、それに応じた冷媒を用いて実施することができる。
【００２４】
（連絡部１４について）
連絡部１４は、冷媒用導管４１及び電線４２について熱交換ユニット１２側と冷却ユニット１３側とを接続することができれば種々の形態を取ることができるが、熱交換ユニット１２と冷却ユニット１３を上方から垂下させた状態で支持することができる程度の剛性と強度と断熱性を備えたものであることが好ましい。
また、熱交換ユニット１２と冷却ユニット１３は、同じ高さとして実施することが好ましい。言い換えれば、熱交換ユニット１２の下端の接地部と連絡部１４と間の距離と、冷却ユニット１３の下端の接地部と連絡部１４と間の距離とを、等しくするなどして、断熱箱１５から外して床などに置いた場合に倒れないように構成することが好ましい。熱交換ユニット１２と冷却ユニット１３のケーシングの高さが異なる場合には、短い方に脚部を設けるなどして、倒れないように構成することが好ましい。そして接地させた姿勢の状態から、傾けることなく断熱箱１５に組み込んで、直ちに電源を入れて運転することが可能になるようにしておくことが最も好ましい。
【００２５】
冷媒用導管４１と電線４２は、連絡部１４の下面側に凹溝を形成して、その凹溝内に収納されており、必要に応じて蓋がされることによって連絡部１４の下面が略フラットになされる。なお連絡部１４をパイプなどの筒状体で構成し、その内部に冷媒用導管４１と電線４２を通すようにしても構わないし、連絡部１４を複数の棒状の枠体で構成しても構わないものであり、種々の形態に変更して実施することができるし、連絡部１４を左右に分けるなど、２以上に分割して実施することもできる。
冷媒用導管４１には必要に応じて断熱材を配置して実施することができる。特に、高密度発泡させたポリプロピレンやポリエチレンなどの合成樹脂からなる素材で、機械的強度が高く断熱性が良い断熱板で連絡部１４を構成し、内部に冷媒用導管４１を配置したものとして実施することが好ましい。また、連絡板１４は、発泡ウレタンや発泡シリコンなどの発泡断熱材を使用することもできる。そして、内部に冷媒用導管４１と電線４２を埋設し、組立最終段階に、隙間なく密閉状態にして断熱する事が適当である。
【００２６】
図１、図２に示すように、冷却ユニット１３が断熱箱１５の内部に配置され、熱交換ユニット１２が断熱箱１５の外側に配置されるようにして、連絡部１４は、断熱箱１５の側壁５１の端部を跨いで配置される。その際、連絡部１４は側壁５１の上端面に乗せられて、連絡部１４によって冷却装置１１全体の荷重が支えられる。
【００２７】
連絡部１４は、冷媒用導管４１と電線４２を通して保護する機能と、熱交換ユニット１２と冷却ユニット１３を連結して一つの装置とする機能と、断熱箱１５に装着する時に全体の荷重を受ける機能を果たす一方、断熱箱１５を貫通する内部の保冷空間と外部とを連絡するものであるため、上記の各機能を果たすことができることを条件に、極力小さな断面積であることが好ましい。従って本発明の実施に際しては、連絡部１４の幅を、熱交換ユニット１２及び冷却ユニット１３の幅よりも大きく設定して実施することもできるが、この実施の形態では等しく設定して実施しており、さらに熱交換ユニット１２及び冷却ユニット１３の幅よりも小さく設定して実施することも望ましい。また連絡部１４の厚みも極力小さくすることが望ましく、４ｃｍ以下、より望ましくは２ｃｍとすることが好ましいが、これに限定して本発明を理解すべきではない。
【００２８】
（断熱箱１５について）
断熱箱１５は、被搬送物の収納空間を構成する複数（この例では４つ）の側壁５１及び底部５２を備えた箱本体５０と、箱本体５０の解放面に開閉可能に配置される蓋体５５とを備える。これらの断熱箱１５を構成する各部の内部には、断熱材などが配置されており、冷却装置１１を装着しない状態では断熱箱として機能する。具体的には、断熱箱１５の断熱材は、発泡ウレタンや発泡ポリプロピレンなどを使用する。また、蓋及び断熱箱の断熱性能を向上させるために、真空断熱材の併用も想定内である。断熱壁が薄くなった場合には、スペーサーを介して冷却装置１１の取付けおこなっても構わない。
【００２９】
側壁５１の上端には、連絡部１４を収めるための凹部５３が設けられている（図２参照）。従って、冷却装置１１は側壁５１の上方から、冷却ユニット１３と熱交換ユニット１２が内外に振り分けて配置されるように、下方に下ろして、連絡部１４を凹部５３に入れるだけで、冷却装置１１を断熱箱１５に装着することができ、上方に持ち上げるだけで取り外しが容易に完了するものである。その際、熱交換ユニット１２の対向壁面２５と、冷却ユニット１３の対向壁３５との間隔を、側壁５１の厚みとほぼ等しくすることによって、熱交換ユニット１２の対向壁面２５と冷却ユニット１３の対向壁３５とのそれぞれが、側壁５１の内外面に面接触していることにより、冷気が外部に漏れだすことを抑制することができると共に運転時のガタツキの発生も抑制することができる点で望ましいものであるが、３ｍｍ以下程度のクリアランスであれば冷気が極端に漏れ出すものではないため、隙間無く閉じられると考えても差し支えがない。なお、側壁と連絡部の隙間が気になる場合は、独立気泡の発泡シートや不織布などのシール材で埋めて気密性を確保することで、断熱効果が向上するとともに、密閉効果で外気流入を遮断するから、外気の温度変化にも影響を受け難く、無駄な電力を使うことがなく、省エネにもなる。
【００３０】
このように、冷却装置１１と断熱箱１５とは嵌合するだけで固定するものとしておくことが、作業性の向上の点から好ましいものであるが、クリップ状の係止具やビスなどの固定具によって仮固定可能な構造としておいても構わない。
【００３１】
図の例では、連絡部１４の上面と側壁５１の上端面とを面一とし、これに対してフラットな蓋体５５を被せることによって、収納空間を密閉状態下に閉じることができるようにしているが、５０の方に凹部を設けて側壁５１には凹部を設けないようにしても構わないし、両方に凹部を設けても構わない。いずれにしても、冷却装置１１を断熱箱１５に装着した状態で、密閉状態を保つように蓋体５５で蓋をすることが可能なように構成しておくことが望ましい。
【００３２】
（低温輸送について）
上述の冷却装置１１と断熱箱１５は、食品や薬品などの温度管理が重要な被搬送物を適正な温度管理の下で配送することができるとともに、これによる配送者の負担を軽減し労働条件の改善にも寄与することができる低温輸送システムとして実施することができる。
【００３３】
具体的には図示はしないが配送車の荷台に断熱箱１５に冷却装置１１を装着した冷却システムを積載して配送を行う。その際には、冷却装置１１を作動させて、断熱箱１５の内部を冷却する。
【００３４】
配送の最終段階では、配送者が断熱箱１５を目的地まで運ぶことになる。その際には、冷却装置１１を取り外して断熱箱１５と被搬送物だけにして運ぶことによって、重たい冷却装置１１を運ぶ必要がなく、配送者の負担を軽減することができるものである。その際には、連絡部が設置される断熱壁の凹部に断熱材からなる小蓋をスペーサーとして置いて密閉して断熱することで、庫内温度の上昇を防止ることができる。
【００３５】
図８は、他の実施の形態を示すもので、蓋体５５に部分的な切り欠き５６を設けて、連絡部１４との干渉を回避したものであり、断熱箱１５に凹部５３を設ける必要がなくなる。なお蓋体５５も断熱箱１５も凹部や切り欠きがない通常品にしたい場合は、断熱箱１５の上端面にスペーサーを取り付けて実施することができる。
【００３６】
（変更例）
本発明は種々変更して実施することができるものであり、例えば図の実施の形態にあっては、断熱箱１５の解放面が上にあるとして上下方向に冷却装置１１の装着作業を行うものとして説明したが、側面に開放している場合には、横方向に冷却装置１１の装着作業を行うものとして実施することもできる。蓋体５５は、フラットなものとして説明したが、下方に突出した段差を備えたものなどその形態は他の断熱箱と同様種々変更することができ、ヒンジによって箱本体５０に取り付けられたものであっても構わない。用途としては、折りたたみコンテナを含む配送業務を例示したが、レジャー用のクーラーボックス、工場などの事業所内外での保管移動用など、種々の用途に本発明を適用することが可能である。
【符号の説明】
【００３７】
１１  冷却装置
１２  熱交換ユニット
１３  冷却ユニット
１４  連絡部
１５  断熱箱
２１  コンプレッサー
２２  コンデンサー
２３  コンデンシングファン
２４  電源装置
２５  対向壁面
２７  制御操作部
３１  エバポレーター
３２  クーリングファン
３３  温度センサー
３５  対向壁
４１  冷媒用導管
４２  電線
５０  箱本体
５１  側壁
５２  底部
５３  凹部
５５  蓋体
５６  切り欠き
【図１】
2019120455.tif 000003
【図２】
2019120455.tif 000004
【図３】
2019120455.tif 000005
【図４】
2019120455.tif 000006
【図５】
2019120455.tif 000007
【図６】
2019120455.tif 000008
【図７】
2019120455.tif 000009
【図８】
2019120455.tif 000010